(57)【要約】【課題】連写撮影時に取得される画像において、被写界深度を様々なバリエーションで表現すること。【解決手段】ディジタルカメラ１は、撮像素子９に入射される光束を制限する大きさ可変の開口１０を有する絞り８と、連写撮影時に操作されるシャッタ操作部７と、シャッタ操作部７の操作量または操作力を検出するセンサ１３と、センサ１３により検出された操作量または操作力に基づいて、絞り８の開口１０の大きさを調節する全体コントローラ１９とを備える。【選択図】図３
2009025651.tif 000002
【特許請求の範囲】
【請求項１】
撮像素子に入射される光束を制限する大きさ可変の開口を有する可変絞りと、
連写撮影時に操作されるシャッタ操作部と、
該シャッタ操作部の操作量または操作力を検出する検出部と、
該検出部により検出された操作量または操作力に基づいて、前記可変絞りの開口の大きさを調節する制御部と
を備えるカメラ。
【請求項２】
前記検出部が、前記シャッタ操作部の操作量を検出し、
前記シャッタ操作部が、操作量を保持する操作量保持手段を備える請求項１に記載のカメラ。
【請求項３】
前記シャッタ操作部が、筐体表面から出没可能に設けられた押しボタンである請求項１または請求項２に記載のカメラ。
【請求項４】
前記シャッタ操作部が、筐体表面に略直交する軸線回りに回転可能なダイヤルである請求項１または請求項２に記載のカメラ。
【請求項５】
前記シャッタ操作部が、筐体表面と略平行な軸線回りに揺動可能なスティックである請求項１または請求項２に記載のカメラ。
【請求項６】
前記シャッタ操作部が、筐体表面に沿う方向に移動可能なスライダである請求項１または請求項２に記載のカメラ。
【発明の詳細な説明】
【技術分野】
【０００１】
本発明は、ディジタルカメラに関するものである。
【背景技術】
【０００２】
従来、連写撮影時にシャッタの押し下げ量に逆比例した時間間隔で連続撮影するカメラが知られている（例えば、特許文献１参照）。
このカメラによれば、動きの激しい被写体を撮影する場合に、被写体の動きの激しさに応じてシャッタの押し下げ量を増加させるだけで、より多くの画像を取得することができ、所望の画像が取得される確率を高めることができる。
【特許文献１】特開２００６−１６２７２５号公報
【発明の開示】
【発明が解決しようとする課題】
【０００３】
しかしながら、１秒間に３０枚以上の連写撮影が可能なカメラにおいては、同一の撮影条件下において似たような画像を何枚も取得するより、むしろ、連写撮影の間に撮影条件を変更して、被写体を様々なバリエーションで表現する、いわゆる、ブラケット撮影を行うことが望まれると予想される。
このような要望に対して、特許文献１に開示されているようなフレームレートを変化させるだけのカメラでは、対応することができないという不都合がある。
【０００４】
本発明は、このような事情に鑑みてなされたものであって、連写撮影時に取得される画像において、被写界深度を様々なバリエーションで表現することを可能とするカメラを提供することを目的とする。
【課題を解決するための手段】
【０００５】
上記課題を解決するために、本発明は以下の手段を採用する。
本発明は、撮像素子に入射される光束を制限する大きさ可変の開口を有する可変絞りと、連写撮影時に操作されるシャッタ操作部と、該シャッタ操作部の操作量または操作力を検出する検出部と、該検出部により検出された操作量または操作力に基づいて、前記可変絞りの開口の大きさを調節する制御部とを備えるカメラを提供する。
【０００６】
本発明によれば、連写撮影を行う場合に、シャッタ操作部を操作することにより、検出部の作動によって、その操作量または操作力が検出され、制御部の作動によって、撮像素子に入射される光束を制限する可変絞りの開口の大きさが調整される。これにより、可変絞りの開口を大きくすることで、被写界深度を浅くすることができ、また、開口を小さくすることで、被写界深度を深くすることができる。したがって、シャッタ操作部の操作量または操作力を変えるだけの簡易な方法で、連写撮影中に被写界深度を任意に変えることができる。
【０００７】
例えば、連写撮影中に、撮影したい被写体（主要被写体）の前後に不要被写体が入ってきたような場合には、可変絞りの開口を開いて被写界深度を浅くすることにより、前後の不要被写体はぼかし、主要被写体が浮き上がって見えるように撮影することができる。一方、主要被写体の前後に入ってきた他の被写体も含めて撮影したいような場合には、可変絞りの開口を小さくして被写界深度を深くすることにより、主要被写体だけでなく、前後の他の被写体にもピントを合わせて撮影することができる。
【０００８】
上記発明においては、前記検出部が、前記シャッタ操作部の操作量を検出し、前記シャッタ操作部が、操作量を保持する操作量保持手段を備えることとしてもよい。
このように構成することで、操作量保持手段の作動により、検出部の作動によって検出されたシャッタ操作部の操作量が保持されるので、シャッタ操作部を操作し続けることなく可変絞りの開口の大きさを一定に保つことができる。したがって、シャッタ操作部から手を離しても、一定の被写界深度を維持して連写撮影を行うことができる。
【０００９】
また、上記発明においては、前記シャッタ操作部が、筐体表面から出没可能に設けられた押しボタンであることとしてもよい。
また、上記発明においては、前記シャッタ操作部が、筐体表面に略直交する軸線回りに回転可能なダイヤルであることとしてもよい。
また、上記発明においては、前記シャッタ操作部が、筐体表面と略平行な軸線回りに揺動可能なスティックであることとしてもよい。
また、上記発明においては、前記シャッタ操作部が、筐体表面に沿う方向に移動可能なスライダであることしてもよい。
【発明の効果】
【００１０】
本発明によれば、連写撮影時に任意に可変絞りの開口の大きさを変えることができ、被写界深度を様々なバリエーションで表現することができるという効果を奏する。
【発明を実施するための最良の形態】
【００１１】
〔第１の実施形態〕
以下、本発明の第１の実施形態に係るディジタルカメラ（カメラ）について、図面を参照して説明する。
本実施形態に係るディジタルカメラ１は、図１および図２に示すように、略直方体形状に形成されたカメラ本体（筐体）３と、該カメラ本体３の前面に突出可能に設けられたレンズユニット５と、カメラ本体３の上端面に設けられ、前記レンズユニット５からの画像を取得する操作を行うシャッタ操作部７とを備えている。
【００１２】
カメラ本体３は、図３に示すように、前記レンズユニット５により結像された被写体の像を撮影するＣＣＤ等の撮像素子９と、該撮像素子９により取得されたアナログ画像データを図示しないアナログゲインアンプにて増幅処理した後デジタル画像データに変換するアナログフロントエンド（以下、単に「ＡＦＥ」という。）１１と、前記シャッタ操作部７の操作量を検出するセンサ（検出部）１３と、該センサ１３により得られた操作量と前記ＡＦＥ１１により処理されたデジタル画像データとを入力して装置全体の制御を行う全体制御部１５と、該全体制御部１５に入力されたデジタル画像データを撮影画像データとして記憶するメモリユニット１７とを備えている。また、カメラ本体３は、図示しない撮影モード切替手段を備え、単写撮影モードと連写撮影モードとを切替可能になっている。
【００１３】
レンズユニット５は、例えば、図４（ａ），（ｂ）および図５（ａ），（ｂ）に示すように、外部からの光を集めて撮像素子９に被写体の像を結像させるレンズ６と、該レンズ６によって集められ、撮像素子９に入射される光束を制限する大きさ可変の開口１０を有する絞り（可変絞り）８とを有している。絞り８は、複数の羽根状の薄い板８ａを組み合わされて形成され、これらの板８ａが開閉することにより、開口１０の大きさを変更するようになっている。これにより、絞り量に応じて、撮像素子９に入射される光量および被写界深度が変化するようになっている。
【００１４】
具体的には、開口１０を小さくすると、レンズ６を透過して撮像素子９に入射される光の光束が細くなり、撮像素子９に入射される光量が少なくなって画像の明るさが減少する一方、被写界深度が深くなってピントの合う範囲が広くなる。また、開口１０を大きくすると、レンズ６を透過して撮像素子９に入射される光の光束が太くなり、撮像素子９に入射される光量が多くなって画像の明るさが増加する一方、被写界深度が浅くなってピントの合う範囲が狭くなる。
【００１５】
シャッタ操作部７は、カメラ本体３の上端面に対して垂直方向に押し込み可能な押しボタン式のシャッタボタンであり、所定量を押し込むことによりシャッタが切られるようになっている。また、シャッタ操作部７は、押し込み方向のストローク長さが絞り８の開口１０の大きさに対応するようになっている。これにより、連写撮影モード設定時においては、シャッタ操作部７の押し込み量に応じて、絞り８の開口１０の大きさが変化するようになっている。具体的には、シャッタ操作部７の押し込み量が増加するにつれて、絞り８の開口１０が小さくなって撮像素子９に入射される光束が細くなるように、すなわち、シャッタ操作部７の押し込み量に比例して、被写界深度が深くなるようになっている。
【００１６】
全体制御部１５は、カメラ全体をコントロールする全体コントローラ（制御部）１９と、ＡＦＥ１１から出力されるデジタル画像データをカラー補正やＪＰＥＧ圧縮等の処理を行う映像信号処理部２１と、全体コントローラ１９から送られる制御信号に基づいてＡＦＥ１１を制御するゲイン制御部２３と、全体コントローラ１９から送られる制御信号に基づいて撮像素子９およびＡＦＥ１１を制御するタイミング制御部２５と、全体コントローラ１９から送られる制御信号に基づいてレンズユニット５を制御するレンズユニット制御部２７とを備えている。
【００１７】
メモリユニット１７は、撮影画像データを一時的に記憶するバッファメモリ２９と、レンズユニット５を介して撮影範囲を表示したり、前記バッファメモリ２９に記憶された撮影画像データを表示したりする液晶ディスプレイ３１（以下、単に「ＬＣＤ」という。）と、バッファメモリ２９に記憶された撮影画像データを保存するカードインターフェース３３とを備えている。
【００１８】
このように構成された本実施形態に係るディジタルカメラ１の作用について説明する。
本実施形態に係るディジタルカメラ１が起動されると、レンズユニット５のレンズ６を介して結像される被写体の像が、撮像素子９により撮影されてアナログ画像データとして出力され、ＡＦＥ１１においてデジタル画像データに変換された後、映像信号処理部２１において画像処理されて、全体制御部１５を介してＬＣＤ３１に表示される。
【００１９】
この状況で、シャッタ操作部７が所定量押し込まれると、全体制御部１５において、映像信号処理部２１から出力されるその時点の被写体のデジタル画像データに基づいて、タイミング制御部２５、レンズユニット制御部２７およびゲイン制御部２３が作動する。これにより、撮影画像が適正露光になるように、レンズユニット５、撮像素子９およびＡＦＥ１１がそれぞれ制御されて、撮像素子９において被写体のアナログ画像データが取得される。
【００２０】
撮像素子９において取得されたアナログ画像データは、ＡＦＥ１１においてデジタル画像データに変換された後、全体コントローラ１９を介してバッファメモリ２９に出力されて一時的に記憶される。バッファメモリ２９に記憶されたデジタル画像データは、全体コントローラ１９の作動により、ＬＣＤ３１に静止画像として表示したり、カードインターフェース３３に保存したりすることができる。
【００２１】
次に、本実施形態に係るディジタルカメラ１の連写撮影時の動作を、図６に示すフローチャート図を用いて詳細に説明する。
撮影モード切替手段を連写撮影モードに設定すると（ステップＳＡ１）、センサ１３によるシャッタ操作部７の操作量、すなわち、押し込み量の検出が開始される（ステップＳＡ２）。シャッタ操作部７の押し込み量がゼロである場合には（ステップＳＡ３「ＹＥＳ」）、撮影は終了する（ステップＳＡ４）。
【００２２】
一方、シャッタ操作部７の押し込み量がゼロでない場合、すなわち、センサ１３において押し込み量が検出された場合には（ステップＳＡ３「ＮＯ」）、全体コントローラ１９において、検出された押し込み量に基づいて絞り８の開口１０の大きさを示すレンズ絞り値が算出される。算出されたレンズ絞り値はレンズユニット制御部２７に送られ、レンズユニット制御部２７によってレンズユニット５の絞り量、すなわち、絞り８の開口１０の大きさが設定される（ステップＳＡ５）。
【００２３】
また、全体コントローラ１９においては、算出されたレンズ絞り値に基づいて、撮影画像が適正露光になるように、シャッタ速度とＩＳＯ感度値が算出される。算出されたシャッタ速度はタイミング制御部２５に送られ、タイミング制御部２５によって撮像素子９の駆動タイミングが設定されるとともに、タイミング制御部２５からＡＦＥ１１にサンプリングタイミングとして出力されて、ＡＦＥ１１内の図示しないＡＤコンバータの駆動周波数が設定される。また、算出されたＩＳＯ感度は、ゲイン制御部２３に送られ、ゲイン制御部２３によってＡＦＥ１１のアナログゲインアンプのゲイン値として設定される（ステップＳＡ６）。
これにより、レンズ絞り値に応じてそれぞれ制御されたレンズユニット５、撮像素子９およびＡＦＥ１１の作動により、適正露光になるように連写撮影が行われる（ステップＳＡ７）。
【００２４】
連写モードに設定されている間、センサ１３においては、常にシャッタ操作部７の押し込み量が検出され、ステップＳＡ２〜ステップＳＡ７の動作が繰り返される。これにより、例えば、センサ１３により検出されるシャッタ操作部７の押し込み量が増加すると、それに応じて絞り８の開口１０が小さくなるように制御されるとともに、撮像素子９のシャッタ速度とＡＦＥ１１のＩＳＯ感度が、絞り８の開口１０の大きさに合わせて適正露光になるように制御される。一方、シャッタ操作部７の押し込み量が減少すると、それに応じて絞り８の開口１０が大きくなるように制御されるとともに、像素子９のシャッタ速度とＡＦＥ１１のＩＳＯ感度が、絞り８の開口１０の大きさに合わせて適正露光になるように制御される。
【００２５】
例えば、連写撮影中に、主要被写体の前方または後方に不要被写体が入ってきた場合には（図７（ａ）参照）、それに合わせて、シャッタ操作部７の押し込み量を減少して絞り８を開いて開口１０を大きくすると（図７（ｂ）参照）、開口１０の大きさに応じて撮像素子９のシャッタ速度が速くなるとともに（図７（Ｃ）参照）、ＡＦＥ１１のＩＳＯ感度が低くなるように（図７（ｄ）参照）それぞれ自動制御される。
【００２６】
一方、不要被写体が撮影範囲から外れたときは、それに合わせて、シャッタ操作部の押し込み量を増加して絞り８を絞って開口１０を小さくすると、開口１０の大きさに応じて撮像素子９のシャッタ速度が遅くなるとともに、ＡＦＥ１１のＩＳＯ感度が高くなるようにそれぞれ自動制御される。
これにより、撮像素子９の露光量を適正値に保ちつつ（図７（ｅ）参照）、被写界深度を浅くし、前方または後方の不要被写体はぼかし、主要被写体が浮き上がって見えるように撮影することができる。
【００２７】
また、連写撮影中に主要被写体の前方または後方に入ってきた他の被写体も含めて撮影したいような場合には、主要被写体の前方または後方に他の被写体が入ってきたときに（図８（ａ）参照）、シャッタ操作部７の押し込み量を増加して絞り８を絞って開口１０を小さくすると、（図８（ｂ）参照）、それに合わせて、撮像素子９のシャッタ速度が遅くなり（図８（Ｃ）参照）、ＡＦＥ１１のＩＳＯ感度が高くなるように（図８（ｄ）参照）それぞれ自動制御されるので、適正露光を得つつ（図８（ｅ）参照）、被写界深度を深くして、主要被写体と前方または後方の他の被写体とにピントを合わせて撮影することができる。
【００２８】
以上、本実施形態に係るディジタルカメラ１によれば、シャッタ操作部７を操作して押し込み量を調整するだけの簡易な方法で、適正露光を得つつ、連写撮影中に絞り８の開口１０の大きさを変更して、撮像素子９に入射される光束を任意に変えることができる。これにより、被写界深度を様々なバリエーションで表現することが可能となる。
【００２９】
なお、本実施形態においては、シャッタ操作部７の押し込み量が増加すると絞り８の開口１０が小さくなり、押し込み量が減少すると絞り８の開口１０が大きくなることを例示して説明したが、これに代えて、例えば、シャッタ操作部７の押し込み量が増加すると絞り８の開口１０が大きくなり、押し込み量が減少すると絞り８の開口１０が小さくなるようにコントロールすることとしてもよい。
【００３０】
また、本実施形態においては、シャッタ操作部７の操作量に基づいて絞り８の開口１０の大きさを変更することを例示して説明したが、これに代えて、例えば、シャッタ操作部７の操作力、すなわち、押し込み時の操作圧力に基づいて、絞り８の開口１０の大きさを変更することとしてもよい。この場合、センサ１３がシャッタ操作部７の操作圧力を検出することとすればよい。
【００３１】
〔第２の実施形態〕
以下、本発明の第２の実施形態に係るディジタルカメラ１０１について、図面を参照して説明する。
本実施形態に係るディジタルカメラ１０１は、図９および図１０に示すように、シャッタ操作部１０７の構成が第１の実施形態と異なる。
以下、第１の実施形態に係るディジタルカメラ１と構成を共通する箇所には、同一符号を付して説明を省略する。
【００３２】
ディジタルカメラ１０１のシャッタ操作部１０７は、カメラ本体３の上端面に対して垂直の回転軸を有する略円柱形状のダイヤル式の絞り値ダイヤル１０７Ａと、該絞り値ダイヤル１０７Ａの上端面に対して垂直方向に押し込み可能なシャッタボタン１０７Ｂと、絞り値ダイヤル１０７Ａの操作量を保持する図示しない操作量保持手段とを備えている。
【００３３】
絞り値ダイヤル１０７Ａは、図１１に示すように、外周周りにレンズ絞り値の変化量を記した刻みが設けられ、軸線回りに回転させることにより絞り８の開口１０の大きさを変更するようになっている。具体的には、連写撮影モード設定時において、シャッタボタン１０７Ｂを押しながら、絞り値ダイヤル１０７Ａを回転させることにより、その回転量に応じて、絞り８の開口１０の大きさが変化するようになっている。なお、絞り値ダイヤル１０７Ａの刻みが０位置においては、全体コントローラ１９が設定したプログラムのレンズ絞り値でレンズユニット５の絞り量が設定されるようになっている。
【００３４】
例えば、絞り値ダイヤル１０７Ａを刻みの＋１位置，＋２位置，＋３位置というように、時計回りに回転量を大きくするにつれて、絞り８の開口１０が小さくなって撮像素子９に入射される光束が細くなるように、すなわち、回転量に比例して被写界深度が深くなるようになっている。また、刻みの−１位置，−２位置，−３位置というように、反時計回りに回転量を大きくするにつれて絞り８の開口１０が大きくなり、撮像素子９に入射される光束が太くなるように、すなわち、回転量に比例して被写界深度が浅くなるようになっている。なお、絞り値ダイヤル１０７Ａは、外周回りのストローク長さが絞り８の開口１０の大きさ、すなわち、レンズ絞り値の上限と下限の範囲に対応するようになっている。
【００３５】
操作量保持手段は、連写撮影モード設定時において、シャッタボタン１０７Ｂを押しながら、絞り値ダイヤル１０７Ａを回転させることにより作動し、絞り値ダイヤル１０７Ａが刻みの０位置を除く位置に設定されると、絞り値ダイヤル１０７Ａをその回転位置で保持するようになっている。
【００３６】
このように構成された本実施形態に係るディジタルカメラ１０１の作用について説明する。
本実施形態に係るディジタルカメラ１０１は、連写撮影時においては、図１２に示すように、センサ１３により絞り値ダイヤル１０７Ａの操作量、すなわち、回転量が検出される（ステップＳＢ２）。絞り値ダイヤル１０７Ａの回転量がゼロである場合には（ステップＳＢ３「ＹＥＳ」）、全体コントローラ１９が設定したプログラムのレンズ絞り値に設定される（ステップＳＢ４）。
【００３７】
一方、絞り値ダイヤル１０７Ａの回転量がゼロでない場合、すなわち、センサ１３において回転量が検出された場合には（ステップＳＢ３「ＮＯ」）、全体制御部１５において、検出された回転量に基づいてレンズ絞り値が算出される。
そして、算出されたレンズ絞り値に基づいてレンズユニット５、撮像素子９およびＡＦＥ１１が制御され、適正露光になるように連写撮影が行われる（ステップＳＢ７）。
【００３８】
連写モードに設定されている間、センサ１３においては、常に絞り値ダイヤル１０７Ａの回転量が検出され、ステップＳＢ２〜ステップＳＢ７の動作が繰り返される。これにより、例えば、センサ１３により検出される絞り値ダイヤル１０７Ａの回転量が時計回りに大きくなると、それに応じて絞り８の開口１０が小さくなるように制御される。一方、絞り値ダイヤル１０７Ａの回転量が反時計回りに大きくなると、それに応じて絞り８の開口１０が大きくなるように制御される。
【００３９】
この場合に、絞り値ダイヤル１０７Ａが回転させられて、刻みの０位置を除く位置に設定されると、絞り値ダイヤル１０７Ａがその回転位置で保持されるので、ユーザがシャッタ操作部７を操作し続けることなく、開口１０の大きさを一定に保つことができる。
【００４０】
以上説明したように、本実施形態に係るディジタルカメラ１０１によれば、シャッタ操作部７を操作して絞り値ダイヤル１０７Ａの回転量を変えるだけの簡易な方法で、適正露光を得つつ、連写撮影中に絞り８の開口１０の大きさを大きくしたり小さくしたりして、被写界深度を任意に変えることができる。また、ユーザがシャッタ操作部７から手を離しても、一定の被写界深度を維持して連写撮影を行うことができる。
【００４１】
なお、本実施形態においては、絞り値ダイヤル１０７Ａの回転量に基づいて絞り８の開口１０の大きさを変更することを例示して説明したが、これに代えて、例えば、絞り値ダイヤル１０７Ａとして、バネ等により回転角に応じて操作力が変化する構造のものを採用し、絞り値ダイヤル１０７Ａの操作力に基づいて、開口１０の大きさを変更することとしてもよい。この場合、センサ１３が絞り値ダイヤル１０７Ａの操作力を検出することとすればよい。
【００４２】
〔第３の実施形態〕
以下、本発明の第３の実施形態に係るディジタルカメラ２０１について、図面を参照して説明する。
本実施形態に係るディジタルカメラ２０１は、図１３および図１４に示すように、シャッタ操作部２０７の構成が第１の実施形態と異なる。
以下、第１の実施形態に係るディジタルカメラ１と構成を共通する箇所には、同一符号を付して説明を省略する。
【００４３】
ディジタルカメラ２０１のシャッタ操作部２０７は、カメラ本体３の上端面から直立するように突出するスティック式の絞り値スティック２０７Ａを備えている。また、シャッタボタン２０７Ｂが、前記絞り値スティック２０７Ａ近傍のＬＣＤ３１側端面の凸部に垂直方向に押し込み可能に設けられている。また、絞り値スティック２０７Ａは、図１５に示すように、カメラ本体３の上端面近傍に表面に沿って配置される軸線回りに揺動可能に設けられている。
【００４４】
具体的には、シャッタボタン２０７Ｂおよび絞り値スティック２０７Ａは、ユーザがディジタルカメラ２０１の長手方向の両端部をそれぞれ保持した場合に、右手の親指をシャッタボタン２０７Ｂに添えた状態で、人差し指が絞り値スティック２０７Ａに引っ掛けられるように配置されている。これにより、シャッタボタン２０７Ｂを親指で押しながら、人差し指で絞り値スティック２０７Ａを手前側に押し倒すことができるようになっている。
【００４５】
また、絞り値スティック２０７Ａは、倒し角に応じてシャッタ速度を変更するようになっている。具体的には、連写撮影モード設定時において、シャッタボタン２０７Ｂを押しながら、絞り値スティック２０７Ａを押し倒すことにより、その倒し角に応じて、絞り８の開口１０の大きさが変化するようになっている。なお、絞り値スティック２０７Ａが直立した状態においては、全体コントローラ１９が設定したプログラムのレンズ絞り値でレンズユニット５の絞り量が設定されるようになっている。
【００４６】
例えば、絞り値スティック２０７Ａの倒し角が大きくなるにつれ、絞り８の開口１０が小さくなって撮像素子９に入射される光束が細くなるように、すなわち、絞り値スティック２０７Ａの倒し角に比例して、被写界深度が深くなるようになっている。また、絞り値スティック２０７Ａは、倒し角のストロークが、絞り８の開口１０の大きさ、すなわち、レンズ絞り値の上限と下限の範囲に対応するようになっている。なお、絞り値スティック２０７Ａは、操作量がユーザに分かるように、倒し角が段階的に可変するように設けることとしてもよい。
【００４７】
このように構成された本実施形態に係るディジタルカメラ２０１の作用について説明する。
本実施形態に係るディジタルカメラ２０１は、連写撮影時においては、図１６に示すように、センサ１３により絞り値スティック２０７Ａの操作量、すなわち、倒し角が検出される（ステップＳＣ２）。絞り値スティック２０７Ａの倒し角がゼロである場合には（ステップＳＣ３「ＹＥＳ」）、全体コントローラ１９が設定したプログラムのレンズ絞り値に設定される（ステップＳＣ４）。
【００４８】
一方、絞り値スティック２０７Ａの倒し角がゼロでない場合、すなわち、センサ１３において倒し角が検出された場合には（ステップＳＣ３「ＮＯ」）、全体制御部１５において、検出された倒し角に基づいてレンズ絞り値が算出される。
これにより、算出されたレンズ絞り値に基づいてレンズユニット５、撮像素子９およびＡＦＥ１１が制御され、適正露光になるように連写撮影が行われる（ステップＳＣ７）。
【００４９】
連写モードに設定されている間、センサ１３においては、常に絞り値スティック２０７Ａの倒し角が検出され、ステップＳＣ２〜ステップＳＣ７の動作が繰り返される。これにより、例えば、センサ１３により検出される絞り値スティック２０７Ａの倒し角が大きくなると、それに応じて絞り８の開口１０が小さくなるように制御される。一方、ＩＳＯ感度スティック２０７Ａの倒し角が小さくなると、それに応じて絞り８の開口１０が大きくなるように制御される。
【００５０】
以上説明したように、本実施形態に係るディジタルカメラ２０１によれば、シャッタ操作部７を操作して絞り値スティック２０７Ａの倒し角を変えるだけの簡易な方法で、適正露光を得つつ、連写撮影中に絞り８の開口１０の大きさを大きくしたり小さくしたりして、被写界深度を任意に変えることができる。
【００５１】
なお、本実施形態においては、絞り値スティック２０７Ａの倒し角が大きくなると絞り８の開口１０が小さくなり、倒し角が小さくなると絞り８の開口１０が大きくなることを例示して説明したが、これに代えて、例えば、絞り値スティック２０７Ａを右に倒すとその倒し角が大きくなるにつれて絞り８の開口１０が小さくなり、左に倒すとその倒し角が大きくなるにつれて絞り８の開口１０が大きくなるようにコントロールすることとしてもよい。
【００５２】
また、本実施形態においては、絞り値スティック２０７Ａの倒し角に基づいて絞り８の開口１０の大きさを変更することを例示して説明したが、これに代えて、例えば、絞り値スティック２０７Ａの倒し角の操作力、すなわち、押し倒し時の操作圧力に基づいて、絞り８の開口１０の大きさを変更することとしてもよい。例えば、絞り値スティック２０７Ａを右に倒すような圧力が大きくなるにつれて絞り８の開口１０が小さくなり、左に倒すような圧力が大きくなるにつれて絞り８の開口１０が大きくなることとしてもよい。この場合、センサ１３が絞り値スティック２０７Ａの操作圧力を検出することとすればよい。
【００５３】
以上、本発明の実施形態について図面を参照して詳述してきたが、具体的な構成はこの実施形態に限られるものではなく、本発明の要旨を逸脱しない範囲の設計変更等も含まれる。
例えば、第３の実施形態に係るディジタルカメラ２０１が、シャッタ操作部２０７の絞り値スティック２０７Ａに代えて、カメラ本体３の表面に沿う方向に移動可能なスライダ状の絞り値スライダを備えていることとしてもよい。この場合、例えば、絞り値スライダを一方向にスライド可能に設け、一方にスライドさせるとそのスライド長さに応じて絞り８の開口１０が小さくなり、他方にスライドさせるとそのスライド長さに応じて絞り８の開口１０が大きくなることとすればよい。
【００５４】
また、上記各実施形態においては、シャッタ操作部７，１０７，２０７の操作量または操作力により変えられる絞り８の開口１０の大きさに基づいて、撮影画像が適正露光となるように撮像素子９のシャッタ速度およびＡＦＥ１１のＩＳＯ感度が制御されることとして説明したが、シャッタ速度およびＩＳＯ感度の制御により露光量の調整可能な範囲を超えて開口１０が小さくなったり大きくなったりすると、適正な露光量の撮影画像を得ることができない。したがって、例えば、シャッタ速度およびＩＳＯ感度の制御により適正な露光量になる範囲内で開口１０の大きさが変えられるように設定することとしてもよいし、あるいは、何らかの警報を報知する等の対策を施して、適正な露光量になる範囲を超えて開口１０の大きさが変えられるように設定することとしてもよい。
【００５５】
また、上記各実施形態においては、絞り８の開口１０の大きさに合わせて撮像素子９のシャッタ速度とＡＦＥ１１のＩＳＯ感度が制御されることを例示して説明したが、必ずしもシャッタ速度とＩＳＯ感度の両方を変更する必要はなく、適正露光が得られるようにシャッタ速度とＩＳＯ感度のどちらか一方を変更することとしてもよい。
【図面の簡単な説明】
【００５６】
【図１】本発明の第１の実施形態に係るディジタルカメラの上面図である。
【図２】図１のディジタルカメラの背面図である。
【図３】図１のディジタルカメラのカメラ本体内部のブロック図である。
【図４】図４（ａ）は図１のディジタルカメラの絞りを示し、図４（ｂ）は光束を制限する様子を示した図である。
【図５】図５（ａ）は図１のディジタルカメラの絞りを示し、図５（ｂ）は光束を制限する様子を示した図である。
【図６】図１のディジタルカメラの連写撮影時の動作を示すフローチャート図である。
【図７】図７（ａ）は不要被者体の有無を示し、図７（ｂ）は図１のディジタルカメラの絞りを示し、図７（ｃ）は図１のディジタルカメラのシャッタ速度を示し、図７（ｄ）は図１のディジタルカメラのＩＳＯ感度を示し、図７（ｅ）は図１のディジタルカメラの露光量を示した図である。
【図８】図８（ａ）は他の被者体の有無を示し、図８（ｂ）は図１のディジタルカメラの絞りを示し、図８（ｃ）は図１のディジタルカメラのシャッタ速度を示し、図８（ｄ）は図１のディジタルカメラのＩＳＯ感度を示し、図８（ｅ）は図１のディジタルカメラの露光量を示した図である。
【図９】本発明の第２の実施形態に係るディジタルカメラの上面図である。
【図１０】図９のディジタルカメラの背面図である。
【図１１】図９のディジタルカメラの絞り値ダイヤルの拡大図である。
【図１２】図９のディジタルカメラの連写撮影時の動作を示すフローチャート図である。
【図１３】本発明の第３の実施形態に係るディジタルカメラの上面図である。
【図１４】図１３のディジタルカメラの背面図である。
【図１５】図１３のディジタルカメラの絞り値スティックの拡大図である。
【図１６】図１３のディジタルカメラの連写撮影時の動作を示すフローチャート図である。
【符号の説明】
【００５７】
１  ディジタルカメラ（カメラ）
７  シャッタ操作部
８  絞り（可変絞り）
９  撮像素子
１０  開口
１３  センサ（検出部）
１９  全体コントローラ（制御部）
【図１】
2009025651.tif 000003
【図２】
2009025651.tif 000004
【図３】
2009025651.tif 000005
【図４】
2009025651.tif 000006
【図５】
2009025651.tif 000007
【図６】
2009025651.tif 000008
【図７】
2009025651.tif 000009
【図８】
2009025651.tif 000010
【図９】
2009025651.tif 000011
【図１０】
2009025651.tif 000012
【図１１】
2009025651.tif 000013
【図１２】
2009025651.tif 000014
【図１３】
2009025651.tif 000015
【図１４】
2009025651.tif 000016
【図１５】
2009025651.tif 000017
【図１６】
2009025651.tif 000018